(57)【要約】【課題】  管内外の水がプラグとソケットとの接合面に設けられた結合機構に浸入しないように構成された新規な管継手を提供する。【解決手段】  プラグとソケットとから成る管継手であって、プラグとソケットの接合面の間で、上記2本のＯリングの間に介装される、軟質の弾性材製のボールリテーナーと、そのボールリテーナーにより保持される複数のボールから成る結合機構を具備した管継手において、上記結合機構を挟んで、プラグとソケットの接合面の間にそれぞれ各１箇所、Ｏリングシール機構を設ける。【選択図】３【実用新案登録請求の範囲】
【請求項１】
それぞれ一端部に所望の管又はホースと接続される継手部（1ｂ、２ｂ）を具備し、他の一端部が共通の中心軸の周りに互いに回動自在に嵌め合わされる接続部（1ａ、２ａ）として形成されたプラグ（１）とソケット（２）とから成る管継手であって、下記の構成要素、即ち、
1. プラグ（１）とソケット（２）の接続部（1ａ、２ａ）の接合面の間に介装される2本のＯリング（５、６）。
2.  プラグ（１）とソケット（２）の接合面の間で、上記2本のＯリング（５、６）の間に介装される、軟質の弾性材製のボールリテーナー（３）と、そのボールリテーナー（３）により保持される複数のボール（４、４）から成る結合機構。
を具備し、更に、
3  上記プラグ（１）とソケット（２）には、両者の接合面の間に、中心軸方向に適宜の間隔を介して、それぞれＯリング（５、６）を受け入れて成るＯリングシール部が形成されており、更に、
4.  上記プラグ（１）の接合面のＯリングシール部の間には、ボールリテーナー（３）と、ボールリテーナー（３）により保持されたボール（４、４）を受け入れ得る環状のリテーナー溝（１ｃ）が設けられ、
5.  上記ソケット（２）の接合面には、上記プラグ（１）とソケット（２）が嵌め合わされたとき、ボールリテーナー（3）により保持されたボール（４、４）を部分的に受け入れる環状のボール軌道（２ｃ）が設けられた
ことを特徴とする、上記の管継手。
【考案の詳細な説明】
【技術分野】
【０００１】
本考案は、管継手、特に接続される管若しくはホースが、一直線状に、かつ、互いに共通の中心軸の周りに回転し得るように接続される管継手に関する。
【背景技術】
【０００２】
上記の如き管継手には例えばＪＩＳに規定されたワンタッチ式のものがあるが、これは構造が複雑で高価である。
【０００３】
又、それぞれ一端部が所望の管又はホースと接続される管継手部として形成され、他の一端部が共通の中心軸の周りに互いに回動自在に嵌め合わされる接続部として形成されたプラグとソケットとから成る管継手であって、プラグとソケットの接合面の間で、軟質の弾性材製のボールリテーナーと、そのボールリテーナーにより保持される複数のボールから成る結合機構を具備した管継手が知られているが、この従来公知の管継手は、プラグとソケットとの接合面の間の隙間を通じて管内外の水が、各種の不純物、浮遊固形物等を伴って結合機構に浸入するので、ボールが錆びたり汚れたり傷ついたりして、ボールの円滑な転動が妨げられるようになると言う問題があった。
【０００４】
【特許文献１】特開２００４−１７６７５５
【特許文献２】特開２００３−２８７１７４
【考案の開示】
【考案が解決しようとする課題】
【０００５】
本考案の目的は、管内外の水がプラグとソケットとの接合面に設けられた結合機構に浸入しないように構成された新規な管継手を提供することにある。
【課題を解決するための手段】
【０００６】
上記課題を解決するため、プラグとソケットとの接合面に設けられた結合機構を挟んで、接合面にＯリングによる流体シール機構を設ける。
【考案の効果】
【０００７】
本考案は叙上の如く構成されるので、軟質の弾性材製のボールリテーナーと、そのボールリテーナーにより保持される複数のボールから成る結合機構内に、管内を流れる流体や、管外の汚水などが浸入することがなく、長期にわたりボールは円滑に回動することができるようになる。
【考案を実施するための最良の形態】
【０００８】
以下、図面を参照して本考案の実施例について説明する。
図１ないし図３は本考案の第１実施例の構成を示す図であり、図４ないし図６は、第２実施例の構成を示す図である。
【実施例】
【０００９】
図１は本考案に係る管継手の第１実施例の構成を示す立体分解図、図２はその斜視図、図3は断面図、図4は本考案に係る管継手の第2実施例の構成を示す立体分解図、図5はその斜視図、図6は断面図である。
【００１０】
この第１及び第２の実施例は、プラグの継手部の形状が若干相違するだけで、本考案の要旨とする部分の構成は同一であるので、それぞれ対応する構成要素には同一の符号が付してある。
又、以下の説明では第１実施例のみについて説明するが、この説明はそのまま第２実施例にも適用し得るものである。
【００１１】
図１ないし図３中、１は中空管状のプラグ、２は外形が六角頭付ボルト状の中空体から成るソケット、３はボールリテーナー、４、４はボール、５、６はＯリングである。
【００１２】
プラグ１は、ソケット２の一端に挿入される接続部１ａと、図示されていないホースなどを接続する継手部１ｂとから成り、ソケット２は、プラグ１の接続部１ａを受け入れる接続部２ａと、図示されていない鋼管が接続される管継手ネジを具備した継手部２ｂとから成る。
【００１３】
プラグ１の接続部１ａと、ソケット２の接続部２ａは、緩やかな遊び嵌めで、互いに中心軸の周りに回動自在に嵌め合せられており、それらの接合面には、ボールリテーナー３と複数のボール４、４から成る結合機構が収納されるボールリテーナー収納溝１ｃ及びボール軌道２ｃと、Ｏリング５及び６が取り付けられる管状の空間が設けられている。
【００１４】
本実施例において、ボールリテーナー３は、ボール４、４を隔離し、適切な間隔で保持する円弧歯車状のボール保持部３ａと、フランジ部３ｂとから成り、プラグ１側に設けられたボールリテーナー収納溝１ｃ内に収容される。
ボール４、４は、その半球部以上の部分がボールリテーナー３のボール保持部３ａの内部に保持され、半球部以下の部分がソケット2のボール軌道２ｃ内に保持されるようになっている。
【００１５】
プラグ１をソケット２に差し込み、この管継手を組み立てるときはボール４、４は、プラグ１の端面で押され、弾性材で製作されているボールリテーナー３を圧縮し、一旦、ボールリテーナー収納溝１ｃ内に押し込まれるので、プラグ１はボール４を乗り越え、ソケット２の接続部２ａ内に深く進入することができる。このプラグ１の挿入が完了したときは、ボール４、４がソケット２のボール軌道２ｃ内に押出され、このためプラグ１とソケット２の結合が完成する。
この結合作業を容易にするため、挿入時、ボール４、４を押圧するプラグ１の端面には適切な傾斜を設けておくことが望ましい。
【００１６】
本実施例において、Ｏリング５はプラグ１の接続面に設けたＯリング溝１ｄ内に収容されるようになっており、Ｏリング６はプラグ１及びソケット２に設けた段部により形成された環状空間内に収容されるようになっている。
【００１７】
本考案は叙上の如く構成されるから、Ｏリング５によって外部からの汚水の浸入が防止され、Ｏリング６によって管内部を流れる液体の侵入が防止されることになる。
【００１８】
本考案の構成は、叙上の実施例に限定されるものでなく、例えばこの管継手で使用される接続部の形状は、接続される外部管路の合せて自由に設計変更し得るものであり、又Ｏリングの取り付け方法も自由に選択できるものであり、本考案はそれら総ての変更例を包摂するものである。
【産業上の利用可能性】
【００１９】
本考案は上記の如く構成されるから、本考案によるときは、極めて安価で、長期にわたって使用し得る軽便な管継手を提供することができる。
【図面の簡単な説明】
【００２０】
【図１】本考案の第１実施例の構成を示す立体分解図である。
【図２】図１に示した管継手の斜視図である。
【図３】図２に示した管継手の断面図である。
【図４】本考案の第２実施例の構成を示す立体分解図である。
【図５】図４に示した管継手の斜視図である。
【図６】図５に示した管継手の断面図である。
【符号の説明】
【００２１】
１    プラグ
１ａ  接続部
１ｂ  継手部
１ｃ  ボールリテーナー収納溝
１ｄ  Ｏリング溝
２    ソケット
２ａ  接続部
２ｂ  継手部
２ｃ  ボール軌道
３    ボールリテーナー
３ａ  ボール保持部
３ｂ  フランジ部
４    ボール
５    Ｏリング
６    Ｏリング
【図１】
0003106421.tif 000002
【図２】
0003106421.tif 000003
【図３】
0003106421.tif 000004
【図４】
0003106421.tif 000005
【図５】
0003106421.tif 000006
【図６】
0003106421.tif 000007